(57)【要約】【課題】通常は容易に開かないカバーが、簡単な操作で開けられるようにした付箋紙収納ケースの簡易な部品管理と組立を実現する製造方法を提供する。【解決手段】従来別個な部品であった概略同等なる寸法の剛性の高い２枚の短冊状台紙（１１）（１２）と、それらを結合するための複数枚の帯状シート（１３）（１４）（１５）とを、一枚のシート状材料の一部を折り重ねて接着し、台紙に適した剛性を持つ部分（１）（２）を得るとともに、（１）（２）に両端または一端がつながっている帯状シート（３）（４）（５）の結合部を位置決めに利用して、実用新案登録３１８４０３５号で登録した付箋紙収納ケースの部品管理と組立を容易にする製造方法を特徴とする。【選択図】図２
2015016907.tif 000002
【特許請求の範囲】
【請求項１】
回転式台紙を有する付箋紙収納ケースを得るために、一体になったシート状の材料の一部分を、該シートを折りたたんで複数枚貼り合わせることにより、剛性の高い台紙相当部分を得ると同時に、該台紙相当部分と複数の帯状のシートの結合部を位置決めに利用して組み立てることを特徴とする実用新案登録３１８４０３５号で登録した付箋紙収納ケースの製造方法。
【発明の詳細な説明】
【技術分野】
【０００１】  この発明は書籍などに挟んで使うしおりを兼ねた付箋紙の収納ケースの製造方法に関するものである。
【背景技術】
【０００２】  書籍のページの間に挟んだり、挟む位置を変えたりする通常の使用状態では開くことがないしおりのカバーが、簡単な操作で容易に開けられ、中から付箋紙を取り出しやすくした実用新案登録３１８４０３５号で登録をした付箋紙収納ケースは、従来、図１３、図１４及び図１４のＡＡ断面を示した図１５に示したように、平行に配置された概略同等なる寸法の２枚の短冊状台紙（１１）（１２）を、複数枚の帯状シート（１３）（１４）（１５）で、台紙（１１）（１２）の間隙部で交互に、たすき掛けになるように結合し、帯状シート（１３）が台紙（１１）（１２）を覆っている部分の台紙表面と帯状シート裏面に、各々付箋紙束（６）（７）（８）（９）を着脱可能な接着剤で接着して収納できるようにしていた。
【先行技術文献】
【特許文献】
【０００３】
【特許文献１】実用新案登録３１８４０３５号
【発明の概要】
【発明が解決しようとする課題】
【０００４】  これは、製造上、次のような欠点があった。
この付箋紙収納ケースはしおり本体を構成するための、ある程度の剛性がある２枚の厚手の台紙（１１）（１２）と、小さな力で自由に折り曲げることができる柔軟性を有する３枚の薄手の帯状シート（１３）（１４）（１５）からなっていた。従って台紙と帯状シートは、厚さや材質の異なる２種類以上の紙またはそれに類似の素材を用いる必要があったため、別々な素材を使わざるを得ず、部品管理に手間がかかるという欠点があった。【０００５】  また、このように台紙と帯状シートは材質や厚みが異なる材料で作る必要があったため、製造に際しては、２枚の台紙と３枚の帯状シートを別個の部品として用意し、合計６ヶ所で貼り合わせる必要があった。この際、例えば、台紙（１１）に帯状シート（１３）（１４）（１５）を貼るに当たっては、台紙（１１）端面からの寸法と帯状シート同士の間隔を適正に合わせ、かつ帯状シート（１３）（１４）（１５）同士の平行度を確保しつつ台紙（１１）と帯状シートの直角度を確保しなければ、外観が悪くなるばかりではなく、台紙の展開がうまくいかず、ふせん紙を取りだせなくなるという機能上の重大な欠陥が生じていた。このため、貼り付け位置の決定と貼り合わせ作業には十分な注意が必要となり、組立に時間がかかるという欠点があった。
本発明は、以上のような欠点をなくすためになされたものである。
【課題を解決するための手段】
【０００６】  本発明は、付箋紙収納ケースを構成する台紙部分に適した剛性を有する二か所の台紙相当部分（１１）（１２）と、該台紙相当部分をつなぐ複数の帯状のシート（１３）（１４）（１５）を、すべての部品がつながっている一枚の紙またはそれに類するシート状の材料から製造するものである。
【発明の効果】
【０００７】  本発明の製造方法によれば、実用新案登録３１８４０３５号で登録をした付箋紙収納ケースを得るにあたって、一枚のシートの一部分を、該シートを折りたたんで複数枚貼り合わせることにより、厚手の台紙相当の剛性を実現し、一種類の材質で２つの異なる剛性（あるいは柔軟性）をもつ部品を実現することができるため、部品点数を大幅に削減でき材料管理の手間が大幅に省けるという効果がある。また、帯状のシートの一端または両端が台紙相当部分につながった構造が取れるので、組立の際に帯状シートと台紙との結合のための位置決め工程が省略あるいは簡略化でき、貼り合わせの工数が大幅に減るので組立時間が短くできるという著しい効果がある。
【図面の簡単な説明】
【０００８】
【図１】本発明の製造方法によって組み立てた付箋紙収納ケースの一実施例を示す斜視図である。
【図２】図１に示したケースを提供する部品展開図の一実施例であり、鎖線は折り曲げ作業を容易にするための折筋を示している。
【図３】図２のＡＡ断面図であり、網掛け部は断面を示している。
【図４】から
【図６】は、図３の断面図に基づいて、本発明の製造方法をとる場合の部品の折り曲げや組み立ての手順を示した図であり、折り曲げをした折筋部については寸法を伸ばして表現してある。
【図７】図２の部品を用いて製造した付箋紙収納ケースの組立正面図である。
【図８】から
【図１２】図７のＡＡ断面図を用いて本発明で組み立てた付箋紙収納ケースを使用する方法を説明する図であり、帯状シート（３）に関しては厚みを省略して表現してある。また、帯状シート（４）については鎖線で表現してある。
【図１３】従来の製造方法をとる場合の付箋紙収納ケースの部品展開図である。
【図１４】図１３の部品を使った付箋紙収納ケースの組立正面図である。
【図１５】図１４におけるＡＡ断面図であり、表現は図８に合わせてある。
【図１６】本発明の製造方法に適用できる別の部品展開図の実施例である。
【発明を実施するための形態】
【０００９】  以下、本発明を実施するための形態について図２から図６を用いて詳細に説明する。
図２は一体構造になっているシートの展開図であり、鎖線部分は折り曲げのため折筋である。該シートの（１ａ）と（１ｂ）部分を各々が接している辺部分で山折にし、（１ａ）と（１ｂ）の合わせ面をのりなどで接着して剛性を高め、図４の（１）とする。次に該シートの（２ａ）と（２ｂ）部分を各々が接している辺部分で谷折りにし、（２ａ）と（２ｂ）の合わせ面をのりなどで接着して剛性を高め、図４の（２）とする。図４に示したように、（１）は（３ａ）と接している辺部分でさらに山折りにし、（２）は（３ｂ）と接している辺部分で谷折りにすることにより、図５の状態になる。次に図５に示したように（４ａ）（４ｂ）（４ｃ）の部分を（４ｃ）が（１）と接している辺部分で山折りにし、（１）と（２）の間隙部分を通って（１）の下面から（２）の上面へと回り込ませたあと（２）の上面に接するよう配設し、（２）の外側の端面のところで折り返して、（２）の下面に回り込ませ（４ａ）と（２）の下面とを接着する。
図７はこのように組み立てた本発明の構造による付箋紙収納ケースの正面図であるが、例えば帯状シート（４）（５）は、もともと台紙相当部分（１）と結合されているので、（１）と（４）（５）の寸法関係は、図２のシート状部品を型などで製造する際にあらかじめ決定しており、折筋に沿って折曲げるだけで、改めて貼り付ける作業の必要がないことは明らかである。
また、図８は図７のＡＡ断面図であるが、本図に示すように、（１）と（３）とが重なる面の内側両面に、着脱可能な接着剤で束状になった数枚の付箋紙（６）（７）を着脱可能な接着剤で接着する。また、（２）と（３）とが重なる面の内側両面には着脱可能な接着剤で束状になった数枚の付箋紙（８）（９）を着脱可能な接着剤で接着するので、これは従来別々の部品を接着して組み立てた図１４、図１５で示した従来技術で構成した付箋紙収納ケースと構造的に同等であることは明らかである。
これを使用するときには、台紙（１）、（２）を図９のように中央部が凸になるように折り曲げていき、一旦、図１０のように台紙（１）、（２）の裏面同士が接するように台紙（１）と（２）を９０度回転させて折り曲げた後、図１１のように台紙（２）の付箋紙（９）が接着してある面と、帯状シート（３）の付箋紙（８）が接着してある面の間を開いて台紙（１）、（２）をさらに９０度回転する。このようにすることによって付箋紙（８）、（９）はケースの表面に完全に現れる。付箋紙を収納する場合には、以上の手順を逆に行う。
また付箋紙が収納されている状態で、台紙（１）、（２）と帯状シートで構成された本発明のケースを裏返した後、同様の手順で台紙を操作すれば、付箋紙（６）（７）をケース表面に露出させることができる。
本発明の製造方法によれば、実用新案登録３１８４０３５号で登録をした付箋紙収納ケースを得るにあたって、一枚のシートの一部分を、該シートを折りたたんで複数枚貼り合わせることにより、厚手の台紙相当の剛性を実現し、一種類の材質で２つの異なる剛性（あるいは柔軟性）をもつ部品を実現することができるため、部品点数を大幅に削減でき材料管理の手間が大幅に省けるという効果がある。また、帯状のシートの一端または両端が台紙相当部分につながった構造が取れるので、組立の際に帯状シートと台紙との貼り合わせのための位置決め工程が省略あるいは簡単化でき、貼り合わせの工数が大幅に減るので組立時間が短くできるという著しい効果がある。
【その他の実施例】
【００１０】  ここでは図２に示した展開図の一実施例で説明をしたが、図１６に示したような展開図でも、本発明の製造方法である一枚のシートの一部分を折りたたんで複数枚（図１６の例では３枚）貼り合わせることにより、厚手の台紙相当の剛性を実現させ、また帯状シートの一端または両端と台紙相当部分があらかじめつながった構造として、実用新案登録３１８４０３５号で登録をした付箋紙収納ケースを得ることができる。従って本発明の展開図の構成は図２のもの限定されるものではないし、貼り合わせの枚数も２に限定されないのは当然である。
【符号の説明】
【００１１】１、２  台紙相当部分
１ａ、１ｂ  シートの一部分で、貼りあわされて台紙１を構成する
２ａ、２ｂ  シートの一部分で、貼りあわされて台紙２を構成する
３  台紙１、２に連なる帯状シートで３ａ、３ｂから構成される
４、５  台紙１に連なる別の帯状シートで、各々４ｃ、４ｂ、４ａ及び、５ｃ、５ｂ、５ａから構成される
６、７、８、９  付箋紙束
１１、１２  従来の構成をとった場合の台紙
１３、１４、１５  従来の構成をとった場合の帯状シート
【図１】
2015016907.tif 000003
【図２】
2015016907.tif 000004
【図３】
2015016907.tif 000005
【図４】
2015016907.tif 000006
【図５】
2015016907.tif 000007
【図６】
2015016907.tif 000008
【図７】
2015016907.tif 000009
【図８】
2015016907.tif 000010
【図９】
2015016907.tif 000011
【図１０】
2015016907.tif 000012
【図１１】
2015016907.tif 000013
【図１２】
2015016907.tif 000014
【図１３】
2015016907.tif 000015
【図１４】
2015016907.tif 000016
【図１５】
2015016907.tif 000017
【図１６】
2015016907.tif 000018